(57)【要約】【課題】細径化された光ファイバケーブルが取り付けられるよう外形の整合性とケーブル挿入性とケーブル把持力のいずれも良好とし、かつ伝送損失も良好とする補助チューブを提供する。【解決手段】補助チューブ１は、光ファイバケーブル３を外被把持部材に設置するために前記外被把持部材と光ファイバケーブル３との介在構造をなし、断面が長径部１３と短径部１５とからなり、かつ空隙部１７を有する環状をなしている。また、前記短径部１５の一部が当該補助チューブ１の中心に対して外側に膨らむ湾曲形状１９もしくは屈曲形状をもった弱化点を有すると共に、前記長径部１３又は短径部１５からの押圧力で前記空隙部１７が容易に前記押圧力の方向に変形可能であることを特徴とする。【選択図】図１
2010113243.tif 000002
【特許請求の範囲】
【請求項１】
光ファイバケーブルを外被把持部材に設置するために前記外被把持部材と光ファイバケーブルとの介在構造をなし、断面が長径部と短径部とからなり、かつ空隙部を有する環状の補助チューブであって、
前記短径部の一部が当該補助チューブの中心に対して外側に膨らむ湾曲形状もしくは屈曲形状をもった弱化点を有すると共に、前記長径部又は短径部からの押圧力で前記空隙部が容易に前記押圧力の方向に変形可能であることを特徴とする補助チューブ。
【請求項２】
前記空隙部の角部の曲率半径は、挿入する光ファイバケーブルの角部の曲率半径よりも大きく、かつ、前記空隙部は、前記光ファイバケーブルの全ての角部がチューブに接する空隙面積を有することを特徴とする請求項１記載の補助チューブ。
【請求項３】
前記弱化点は、補助チューブの短径部の内側の空隙部の頂点が、前記短径部の外周側の湾曲又は屈曲開始点より外側に位置する構成であることを特徴とする請求項１又は２記載の補助チューブ。
【発明の詳細な説明】
【技術分野】
【０００１】
この発明は、補助チューブに関し、特に宅内光配線、既設マンション配線用として用いられる光ファイバケーブルの細径化に伴い、この細径化した光ファイバケーブルと既存の光ファイバケーブル用コネクタとの寸法の整合性をとるための介在構造である補助チューブに関する。
【背景技術】
【０００２】
近年のＦＴＴＨ（Fiber To The Home）では、宅内や既設マンションのフロア等に引き込まれた光ファイバケーブルに現場でコネクタ付けを行えるよう、「現場付けコネクタ」が開発され、広く普及している。現場付けコネクタには、外被把持部材を保持固定する保持機構部が内蔵されている。光ファイバケーブルを把持した外被把持部材が前記保持機構部に収納されることで、現場でのコネクタ取付けが行われるものである。
【０００３】
なお、上記の外被把持部材は、既存のインドア及びドロップケーブルなどの光ファイバケーブルのエレメント部に適用可能となるように約２．０×３．１ｍｍの寸法に対応した形状となっている。また、コネクタを取り付けた後の光ファイバケーブルの取り扱い性を考慮し、光ファイバケーブルに外被把持部材を取り付けた後に、外被把持部材から光ファイバケーブルを引き抜く引抜き力は１ｋｇｆ以上となるように設計されている。
【０００４】
宅内や既設マンション等においては、光ファイバサービスの申し込みに応じてインドアケーブルをケーブル用ダクトに追い張りする方法がとられている。しかし、ケーブル用ダクトの既存線材の占有率は高く、追い張り本数が限られている。つまり、既存のマンションなどに配線する際、その配線スペースは狭い状態である。場合によっては、追い張り可能な線材数がマンション戸数に達せず、光ファイバサービスを受けられてない家庭が生じる可能性もある。
【０００５】
以上のことから、追い張り本数を増やすために、既存の光ファイバケーブルとしての例えばインドアケーブルの外形寸法をより小さくするように細径化することが検討されている。
【０００６】
しかしながら、インドアケーブルを細径化することにより、この細径化したインドアケーブルは、従来使用されていた通常のインドアケーブルの現場付けコネクタ、キャビネット等における外被把持部材との寸法整合が取れなくなるために光ファイバケーブルの固定ができなくなる。そのために、その寸法整合を取るための補助チューブが必要となった。
【０００７】
例えば図１０（Ａ）を参照するに、補助チューブ１０１は、その断面が光ファイバケーブル１０３の断面形状に合わせて長径と短径の矩形状の空隙部１０５を有する環状をなしている。なお、細径化した光ファイバケーブル１０３は、断面矩形状の長尺のシース１０７と、このシース１０７内のほぼ中央位置に設けた光ファイバ素線や光ファイバ心線などの光ファイバ１０９と、この光ファイバ１０９の長手方向（図１０（Ａ）において紙面に対して直交した方向）に対して２方向のうちの一方向（図１０（Ａ）において左右方向）で前記光ファイバ１０９の中心線上の両側には一対の抗張力体１１１が埋設されている。
【０００８】
ちなみに、現場付けコネクタ、キャビネット等については、前述したように短径が約２．０ｍｍ、長径が約３．１ｍｍのインドア及びドロップなどの光ファイバケーブル１０３のエレメント部に適用可能となるように設計されているが、この範囲のケーブル寸法であれば、現場付けコネクタからの光ファイバケーブル１０３の移動や抜け等が発生せず、使用中の安定した伝送損失が保証可能である。したがって、光ファイバケーブル１０３を細径化する場合は、上記の既存寸法まで嵩上げが必要となり、補助チューブ１０１がその機能を果たすことになる。
【０００９】
ところで、特許文献１には、テーパ状部を備えて形成されている押圧部材を用いて、ワイヤーハーネスを把持固定する配線保持部材が示されている。すなわち、配線保持部材が少なくとも２つの部材に分割された形状に形成され、押圧部材とこの押圧部材を連結する支持部材とからなり、前記押圧部材における筐体の孔と接する部位が、テーパ状に形成されている。この方式は、ワイヤーハーネスの外径に係らず押圧部材のテーパ部でワイヤーハーネスを把持し、筐体内の現場付けコネクタやハンダ接続部のダメージを防止するものである。
【００１０】
しかしながら、この方式では、光ファイバケーブル１０３の場合、張力が加わるとテーパによって光ファイバケーブル１０３側面に過剰な側圧力が加わったり、テーパ構造のために把持位置が移動することなどが想定される。光ファイバケーブル１０３では伝送損失異常の発生原因となることが考えられる。すなわち、テーパにより光ファイバケーブル１０３に側圧がかかると、伝送損失が悪化してしまう。また、テーパ部の移動により光ファイバが移動して最悪の場合は断線を招くことになる。
【００１１】
したがって、特許文献１に記載の構成をそのまま光ファイバケーブル１０３の場合に適用することはできないものである。
【特許文献１】特開２００４−３２８５８号公報
【発明の開示】
【発明が解決しようとする課題】
【００１２】
ところで、補助チューブ１０１はその内部に光ファイバケーブル１０３を挿入するために、空隙部１０５には光ファイバケーブル１０３に対してある程度のクリアランスが必要になる。しかし、図１０（Ａ）に示されているように、空隙部１０５が光ファイバケーブル１０３よりも小さくて前記クリアランスが無いと、光ファイバケーブル１０３を空隙部１０５に差し込めない。図１０（Ａ）では、前記光ファイバケーブル１０３の寸法の長径Ａ、短径Ｂに対して空隙部１０５の寸法の長径Ａ’、短径Ｂ’が小さい場合に該当する（Ａ’＜ Ａ、Ｂ’ ＜Ｂ）。また、前記クリアランスが小さい場合でも光ファイバケーブル１０３の挿入性（作業性）が損なわれる。
【００１３】
そこで、図１０（Ｂ）に示されているように補助チューブ１０１内の空隙部１０５の短径方向にクリアランス１１３を設けるか、あるいは図１０（Ｃ）に示されているように補助チューブ１０１の空隙部１０５の長径方向にクリアランス１１３を設けることができる。つまり、補助チューブ１０１の空隙部１０５の長径及び短径のどちらかにクリアランス１１３があれば、図１０（Ｄ）に示されているように、前記空隙部１０５に対して光ファイバケーブル１０３を斜めに差込んで、クリアランス１１３のない方を広げながら挿入することが可能となる。
【００１４】
しかしながら、光ファイバケーブル１０３と補助チューブ１０１の間のクリアランス１１３が大きい場合は、現場付けコネクタの把持力が低くなる。つまり、光ファイバケーブル１０３の引抜力の目標値１ｋｇｆを満足できないので、現場付けコネクタが何らかの力で引っ張られたときに光ファイバケーブル１０３が引き抜けて、最悪の場合は通信できなくなるという問題点が生じる。
【００１５】
さらに、上記のクリアランス１１３が大きすぎる場合は、外被把持部材へ挿入したときの光ファイバケーブル１０３のセンタリング性に、ひいては光ファイバ１０９のセンタリング性に問題が生じる。最悪の場合は光ファイバ１０９の断線が生じる可能性がある。
【００１６】
また、図１１（Ａ）に示されているように、例えばニッパ等の切断工具１１５で光ファイバケーブル１０３を切断すると、光ファイバケーブル１０３が切断方向につぶれてしまい、光ファイバケーブル１０３の断面は例えば図１１（Ｂ）に示されているように偏平形状に変形する。この切断面形状変化によって、図１１（Ｃ）に示されているように、光ファイバケーブル１０３を補助チューブ１０１に挿入することが難しくなるという問題点があった。
【００１７】
したがって、切断面形状変化のままでは挿入しにくいので、再度、光ファイバケーブル１０３が変形しないように丁寧に切断するなどの作業をすると、作業時間の増大につながることになる。また、切断により変形したエッジ部１０３Ａは補助チューブ１０１の破損を招くことになる。
【００１８】
また、上記のクリアランス１１３が大きい場合であっても、前述した図１１（Ａ）に示されているように、切断工具１１５で光ファイバケーブル１０３を切断すると、光ファイバケーブル１０３の切り方によっては図１１（Ｂ）、（Ｃ）に示されているつぶれ方が異なるので挿入しにくい。
【００１９】
そこで、光ファイバケーブル１０３を挿入しようとして、図１２に示されているように補助チューブ１０１の上下から力を加えて空隙部１０５を切断面形状に合わせた偏平形状に変形させようとしても、空隙部１０５の断面が矩形状の場合は、上下からの応力が左右のシース部１０１Ａで支えられてしまうために、目的の変形が生じない。
【００２０】
また、図１３（Ａ）に示されているように、光ファイバケーブル１０３を装着した補助チューブ１０１が外被把持部材１１７の本体枠１１７Ａへ挿入されてから蓋部１１７Ｂで固定されて取り付けられる場合、補助チューブ１０１の空隙部１０５が完全に四角であると、上下からの力を左右のシース部１０１Ａが受けてしまうために、上下方向からの応力が完全に内部の光ファイバケーブル１０３に伝わらないという問題点があった。
【００２１】
例えば、図１３（Ｂ）に示されているように、補助チューブ１０１を装着した光ファイバケーブル１０３が外被把持部材１１７の本体枠１１７Ａへ取り付けられたとき、補助チューブ１０１の左右のシース部１０１Ａが図中の矢印に示されているように本体枠１１７Ａの鬼目１１７Ｃによる抑え力を支持してしまうので、光ファイバケーブル１０３を把持するための押圧力は完全に負荷されないことになる。つまり、光ファイバケーブル１０３の引抜力の目標値１ｋｇｆを満足できなくなる。
【００２２】
この発明は、既存の現場付けコネクタの外被把持部材をそのまま使用しても、従来よりも細径化された光ファイバケーブルが取り付けられるよう外形の整合性とケーブル挿入性とケーブル把持力のいずれも良好とし、かつ伝送損失も良好とする補助チューブを提供することを目的とする。
【課題を解決するための手段】
【００２３】
上記の課題を解決するために、この発明の補助チューブは、光ファイバケーブルを外被把持部材に設置するために前記外被把持部材と光ファイバケーブルとの介在構造をなし、断面が長径部と短径部とからなり、かつ空隙部を有する環状の補助チューブであって、
前記短径部の一部が当該補助チューブの中心に対して外側に膨らむ湾曲形状もしくは屈曲形状をもった弱化点を有すると共に、前記長径部又は短径部からの押圧力で前記空隙部が容易に前記押圧力の方向に変形可能であることを特徴とするものである。
【００２４】
また、この発明の補助チューブは、前記補助チューブにおいて、前記空隙部の角部の曲率半径は、挿入する光ファイバケーブルの角部の曲率半径よりも大きく、かつ、前記空隙部は、前記光ファイバケーブルの全ての角部がチューブに接する空隙面積を有することが好ましい。
【００２５】
また、この発明の補助チューブは、前記補助チューブにおいて、前記弱化点は、補助チューブの短径部の内側の空隙部の頂点が、前記短径部の外周側の湾曲又は屈曲開始点より外側に位置する構成であることが好ましい。
【発明の効果】
【００２６】
以上のごとき課題を解決するための手段から理解されるように、この発明によれば、補助チューブは、短径部の一部が当該補助チューブの中心に対して外側に膨らむ湾曲形状もしくは屈曲形状をもった弱化点を有する構造とすることにより、補助チューブを指で押圧するだけで、補助チューブの空隙部を光ファイバケーブルの断面形状に合わせた形状に容易に変形させることができる。その結果、光ファイバケーブルの切断面形状に合った状態で補助チューブに挿入することができるので、光ファイバケーブル挿入性が向上する。また、光ファイバケーブルを装着した補助チューブが外被把持部材に挿入された時の抑え力がより効果的に内部の光ファイバケーブルに伝わるので、前記外被把持部材による把持力が向上する。
【発明を実施するための最良の形態】
【００２７】
以下、この発明の実施の形態について図面を参照して説明する。
【００２８】
図１ないしは図３を参照するに、この実施の形態に係る補助チューブ１は、特に宅内光配線や既設マンション配線用として用いられる光ファイバケーブル３の細径化に伴い、この細径化した光ファイバケーブル３を既存の光ファイバケーブル用コネクタの外被把持部材５に設置するために前記外被把持部材５と光ファイバケーブル３との介在構造をなした環状のものである。
【００２９】
なお、上記の外被把持部材５としては、図３に示されているように、細径化した光ファイバケーブル３を挿入した補助チューブ１を装着するための断面がほぼコ字状をなす装着部５Ｃを有する本体枠５Ａと、この本体枠５Ａの装着部５Ｃに装着された補助チューブ１を固定するための蓋部５Ｂと、から構成されている。
【００３０】
また、図１ないしは図３に示されている細径化した光ファイバケーブル３は、図１において紙面に対して直交した方向へ延伸した長尺の断面矩形状のシース７と、このシース７内のほぼ中央位置に設けた光ファイバ素線や光ファイバ心線などの光ファイバ９と、この光ファイバ９の長手方向（図１において紙面に対して直交した方向）に直交した２方向のうちの一方向（図１において左右方向）の中心線上の両側には一対の長尺の抗張力体１１が埋設されている。
【００３１】
補助チューブ１の断面が、装着される光ファイバケーブル３に対応した形状の長径部１３と短径部１５とからなり、かつ空隙部１７を有する環状のチューブであり、前記短径部１５の一部が補助チューブ１の中心（光ファイバ９の中心）に対して図１に示すように外側に膨らんだ湾曲形状１９もしくは図２に示すように屈曲形状２１をもった弱化点を有している。また、前記空隙部１７は、前記長径部１３又は短径部１５からの押圧力で容易に前記押圧力の方向に変形可能である。また、挿入する光ファイバケーブル３の上下方向もしくは左右方向への力に対しても容易に変形可能である。
【００３２】
なお、この実施の形態では、上記の弱化点とは、「外力を受けたときに弾性変形しやすい部分」をいう。すなわち、図１及び図２に示されているように、短径部１５が湾曲形状１９もしくは屈曲形状２１であるときは、短径部１５又は長径部１３の外側から力をかけると、湾曲形状部分や屈曲形状部分で容易に変形することになる。
【００３３】
より詳しく説明すると、上記の弱化点としては、図４（Ａ）に示されているように、補助チューブ１の短径部１５の内側の空隙部１７の頂点Ｔが、前記短径部１５の外周側の湾曲形状１９（又は屈曲形状２１）の開始点Ｓより外側に位置する構成である。なお、開始点Ｓとは、補助チューブ１の外周面において長径部１３の直線部分（厳密には直線でなくても良い）から短径部１５の湾曲形状部分（又は屈曲形状部分）へ移る点をいう。
【００３４】
この状態であれば、補助チューブ１が長径部１３の外側から力を受けると、図４（Ｂ）に示されているように、空隙部１７は容易に偏平形状に変形することができる。
【００３５】
しかし、例えば図５（Ａ）に示されているように、補助チューブ１Ａを比較例として考慮すると、補助チューブ１Ａの短径部１５の内側の空隙部１７の頂点Ｔが、前記短径部１５の外周側の湾曲形状１９（又は屈曲形状２１）の開始点Ｓより内側に位置すると、短径部１５の図５（Ａ）において点線の部分が垂直方向の力を受ける「梁」となってしまうために、例えば図５（Ｂ）に示されているように、空隙部１７は偏平形状に変形できなくなってしまう。つまり、長径部１３の中央部分は潰れるが、左右の短径部１５は潰れない状態となる。
【００３６】
したがって、補助チューブ１は、短径部１５の一部が補助チューブ１の中心に対して外側に膨らむ湾曲形状１９あるいは屈曲形状２１をもった弱化点を有しているので、空隙部１７と光ファイバケーブル３との間にはクリアランスが形成されると共に、補助チューブ１に左右又は上下から力をかけることで容易に変形するため、空隙部１７の縦横比をコントロールできる。
【００３７】
再び、図１及び図２を参照するに、短径部１５が湾曲形状１９あるいは屈曲形状２１をなす補助チューブ１では、いずれも、図中の点線の○で囲んでいる箇所の前記空隙部１７の角部の曲率半径が、挿入する光ファイバケーブル３の角部の曲率半径よりも大きく形成されており、しかも、前記空隙部１７は、前記光ファイバケーブル３の全ての角部が補助チューブ１に接する空隙面積を有する構成とすることが望ましい。
【００３８】
これにより、上記の補助チューブ１内に断面形状が矩形状の光ファイバケーブル３を挿入したとき、光ファイバケーブル３の全ての角部が空隙部１７の角部に接触して保持され位置決めされるので、図１及び図２において、光ファイバケーブル３に備えた光ファイバ９が左右及び上下方向の中心に位置するように左右及び上下方向への移動が規制され、センタリングされる。さらに、少なくとも前記短径部１５と光ファイバケーブル３との間には間隙２３が形成されることになり、長径部１３と光ファイバケーブル３との間にも例えば図１に示すように間隙２３が形成される場合もある。
【００３９】
したがって、補助チューブ１ヘの光ファイバケーブル３の挿入性は、少なくとも短径部１５と光ファイバケーブル３との間に前記間隙２３が形成されることにより、前記短径部１５（及び長径部１３）と光ファイバケーブル３との接触面が少なくなるために摩擦力が小さくなることで、光ファイバケーブル３が補助チューブ１に挿入し易くなる。すなわち、光ファイバケーブル３の切断箇所から少し離れた切断変形の少ない部分においては、上記のように光ファイバケーブル３の角部に補助チューブ１の空隙部１７の角部が当たり、センタリングの位置決めができる。
【００４０】
また、図６（Ａ）のような短径部１５が湾曲形状１９である補助チューブ１に対しては、例えば図示しないニッパ等の切断工具で光ファイバケーブル３を切断したときに光ファイバケーブル３の断面が図６（Ｂ）に示されているようにほぼ正六角形状に変形した場合、短径部１５の外側から力を加えると、補助チューブ１は光ファイバケーブル３の断面に合わせた状態に容易に変形させることができる。一方、切断工具で光ファイバケーブル３を切断したときに光ファイバケーブル３の断面が図６（Ｃ）に示されているように偏平形状に変形した場合、長径部１３の外側から力を加えると、補助チューブ１は光ファイバケーブル３の断面に合わせた偏平形状の状態に容易に変形させることができる。
【００４１】
図７（Ａ）のような短径部１５が屈曲形状２１である補助チューブ１に対しては、前述した短径部１５が湾曲形状１９である補助チューブ１の場合とほぼ同様である。すなわち、切断工具で光ファイバケーブル３を切断したときに光ファイバケーブル３の断面が図７（Ｂ）に示されているようにほぼ正六角形状に変形した場合、短径部１５の外側から力を加えると、補助チューブ１は光ファイバケーブル３の断面に合わせた状態に容易に変形させることができる。一方、切断工具で光ファイバケーブル３を切断したときに光ファイバケーブル３の断面が図７（Ｃ）に示されているように偏平形状に変形した場合、長径部１３の外側から力を加えると、補助チューブ１は光ファイバケーブル３の断面に合わせた偏平形状の状態に容易に変形させることができる。
【００４２】
以上のように、短径部１５が湾曲形状１９並びに屈曲形状２１である補助チューブ１は、空隙部１７を光ファイバケーブル３の切断面形状に合わせるように変形することができるので、光ファイバケーブル３の切断面が変形しても、補助チューブ１に光ファイバケーブル３を容易に挿入することができる。切断面形状変化をあまり気にすることなく光ファイバケーブル３を切断することができるので、作業性が向上する。
【００４３】
ところで、図３に示されているように、細径化された光ファイバケーブル３の端部に前記補助チューブ１を取り付けた状態で、既存の一般的な外被把持部材５に設置したときは、前記長径部１３の外側面は外被把持部材５の本体枠５Ａによって押圧されるが、このとき、前記短径部１５が外側方向に弾性変形されるので長径部１３は確実に前記光ファイバケーブル３に両側から接触するように弾性変形する。
【００４４】
より詳しくは、前記外被把持部材５に設置する際には、図８（Ａ）に示されているように、短径部１５が湾曲形状１９した補助チューブ１に光ファイバケーブル３を挿入し、この補助チューブ１が外被把持部材５の本体枠５Ａに押し込まれることにより、補助チューブ１の長径部１３の外周面が本体枠５Ａで押圧されると、図８（Ｂ）の矢印に示されているように短径部１５の湾曲形状１９に沿って斜め方向に応力がかかるので短径部１５が外方向へ弾性変形し、外被把持部材５の本体枠５Ａの押圧力が確実に前記長径部１３を経て光ファイバケーブル３にかかることになる。
【００４５】
また、短径部１５が屈曲形状２１した補助チューブ１も、上記の短径部１５が湾曲形状１９した補助チューブ１とほぼ同様である。すなわち、図９（Ａ）に示されているように、短径部１５が屈曲形状２１した補助チューブ１に光ファイバケーブル３を挿入し、この補助チューブ１が外被把持部材５の本体枠５Ａに押し込まれることにより、補助チューブ１の長径部１３の外周面が本体枠５Ａで押圧されると、図９（Ｂ）の矢印に示されているように短径部１５の屈曲形状２１に沿って斜め方向に応力がかかるので短径部１５が外方向へ弾性変形し、外被把持部材５の本体枠５Ａの押圧力が確実に前記長径部１３を経て光ファイバケーブル３にかかることになる。
【００４６】
以上のように、短径部１５が湾曲形状１９並びに屈曲形状２１である補助チューブ１は、本体枠５Ａに備えた鬼目２５による抑え力が内部の光ファイバケーブル３に伝わりやすくなり、ひいては光ファイバケーブル３の把持力を向上することが可能となる。
【００４７】
なお、前述したように光ファイバケーブル３は補助チューブ１の空隙部１７内にセンタリングされているので、光ファイバケーブル３が外被把持部材５に設置されると、補助チューブ１の長径部１３が光ファイバケーブル３に上下両側から接触し押圧するので、光ファイバ９は上下及び左右方向の中心に位置することになる。
【００４８】
以上のことから、補助チューブ１は、短径部１５の一部が当該補助チューブ１の中心に対して外側に膨らむ湾曲形状１９もしくは屈曲形状２１をもった弱化点を有する構造とすることにより、補助チューブ１を指で押圧するだけで、補助チューブ１の空隙部１７を光ファイバケーブル３の断面形状に合わせた形状に容易に変形させることができる。その結果、光ファイバケーブル３の切断面形状に合った状態で補助チューブ１に挿入することができるので、ケーブル挿入性が向上する。また、光ファイバケーブル３を装着した補助チューブ１が外被把持部材５に挿入された時の抑え力がより効果的に内部の光ファイバケーブル３に伝わるので、前記外被把持部材５による把持力が向上する。
【００４９】
また、補助チューブ１の空隙部１７の角部の曲率半径は、挿入する光ファイバケーブル３の角部の曲率半径よりも大きく、かつ、前記空隙部１７は、前記光ファイバケーブル３の全ての角部がチューブに接する空隙面積を有する構造とすることで、光ファイバケーブル３のセンタリング性が向上する。
【００５０】
したがって、この実施の形態の補助チューブ１を使用することにより、従来の光ファイバケーブル３より細径化された光ファイバケーブル３は、既存の現場付けコネクタにそのまま使用できると共に、従来の光ファイバケーブルにも従来通りに取り付けることができ、施工環境の状況によって使い分けすることができる。
【図面の簡単な説明】
【００５１】
【図１】この発明の実施の形態の補助チューブに光ファイバケーブルを装着したときの断面図である。
【図２】この発明の他の実施の形態の補助チューブに光ファイバケーブルを装着したときの断面図である。
【図３】光ファイバケーブルを装着した補助チューブが現場付けコネクタの外被把持部材に設置されるときの状態を示す斜視図である。
【図４】（Ａ）は、図１の補助チューブの弱化点を説明するための断面図で、（Ｂ）は、外力を加えたときの潰れた状態を示す断面図である。
【図５】（Ａ）は、比較例の補助チューブの弱化点を説明するための断面図で、（Ｂ）は、外力を加えたときの潰れた状態を示す断面図である。
【図６】（Ａ）〜（Ｃ）は、図１の補助チューブに外力を加えたときの変形状態を説明するための断面図である。
【図７】（Ａ）〜（Ｃ）は、図２の補助チューブに外力を加えたときの変形状態を説明するための断面図である。
【図８】（Ａ）、（Ｂ）は、図１の補助チューブが外被把持部材に設置されるときの状態を説明するための断面図である。
【図９】（Ａ）、（Ｂ）は、図２の補助チューブが外被把持部材に設置されるときの状態を説明するための断面図である。
【図１０】（Ａ）〜（Ｃ）は、従来の補助チューブの断面図で、（Ｄ）は、従来の補助チューブに光ファイバケーブルを挿入するときの状態説明図である。
【図１１】（Ａ）は、光ファイバケーブルを切断工具で切断するときの状態説明図で、（Ｂ）、（Ｃ）は、切断された光ファイバケーブルの断面図と補助チューブの断面図である。
【図１２】従来の補助チューブに外力を加えたときの変形状態を説明するための説明図である。
【図１３】（Ａ）、（Ｂ）は、従来の補助チューブが外被把持部材に設置されるときの状態を説明するための断面図である。
【符号の説明】
【００５２】
１  補助チューブ
３  光ファイバケーブル
５  外被把持部材
５Ａ  本体枠
５Ｂ  蓋部
５Ｃ  装着部
７  シース
９  光ファイバ
１１  抗張力体
１３  長径部
１５  短径部
１７  空隙部
１９  湾曲形状
２１  屈曲形状
２３  間隙
２５  鬼目
【図１】
2010113243.tif 000003
【図２】
2010113243.tif 000004
【図３】
2010113243.tif 000005
【図４】
2010113243.tif 000006
【図５】
2010113243.tif 000007
【図６】
2010113243.tif 000008
【図７】
2010113243.tif 000009
【図８】
2010113243.tif 000010
【図９】
2010113243.tif 000011
【図１０】
2010113243.tif 000012
【図１１】
2010113243.tif 000013
【図１２】
2010113243.tif 000014
【図１３】
2010113243.tif 000015